(57)【要約】【課題】利用者が真に欲しい利用価値の高いサービス情報をタイムリに提供することができるサービス情報提供方法及びこの装置とシステムを提供する。【解決手段】サービス情報の提供を受けたい端末装置５に関連する識別情報を上位装置１２と端末装置４に着脱自在なＩＣカード等８に登録するステップと、この登録された識別情報が示す端末装置５に登録された電子装置がセットされているかを確認するステップと、この確認ステップにより電子装置が端末装置にセットされていると確認された場合に登録された識別情報が示す端末装置５に対して上位装置１２に記憶されたサービス情報を提供するステップと、上位装置に記憶された各種サービス情報を上位装置１２に有線あるいは無線で接続された端末装置５へ提供するサービス情報提供方法及びこの装置とシステム。【選択図】      図１
2005070039.tif 000002
【特許請求の範囲】
【請求項１】
上位装置に記憶された各種サービス情報を前記上位装置に無線で接続された車載機へ提供するサービス情報提供方法において、
電子装置がセットされた端末装置が、サービス情報を利用する利用地域、利用施設の種別、サービス情報の提供を受けたい提供時間帯、及び施設を利用する利用時間帯を含む利用者の欲しいサービス情報の条件を前記電子装置へ登録し、このサービス情報の提供を受けたい車載機の識別情報を前記電子装置へ登録し、前記電子装置へ登録されたサービス情報の条件、及び前記電子装置へ登録されたサービス情報の提供先となる前記車載機の識別情報、さらには前記電子装置の識別情報を、前記上位装置に登録する登録ステップと、
前記上位装置が、この上位装置に記憶されたサービス情報の中から、この上位装置に登録された前記サービス情報の条件に該当するサービス情報を検索する検索ステップと、
前記上位装置が、この上位装置に登録された識別情報に対応する前記車載機に、この上位装置に登録された識別情報に対応する電子装置がセットされているかどうかを確認する確認ステップと、
前記上位装置が、前記確認ステップにおいてこの上位装置に登録された識別情報に対応する前記車載機に、この上位装置に登録された識別情報に対応する電子装置がセットされていることが確認されれば、前記検索ステップにおいて検索されたサービス情報を、この上位装置に登録された識別情報に対応する前記車載機へ提供する提供ステップと、
を有することを特徴とするサービス情報提供方法。
【請求項２】
前記登録ステップは、
前記電子装置がセットされた前記端末装置が、前記上位装置とオンライン接続可能であるかを判定する判定ステップと、
前記電子装置がセットされた前記端末装置が、前記判定によりオンライン接続可能であると判定すると前記電子装置内の情報を前記上位装置に送信し、前記判定によりオンライン接続不可能であると判定すると前記電子装置にオフラインで登録した旨の情報をセットしオンライン接続可能になってから前記電子装置に記憶されたオフラインで登録した旨の情報をリセットし前記電子装置内の情報を前記上位装置に送信する送信ステップと、
を有することを特徴とする請求項１に記載のサービス情報提供方法。
【請求項３】
上位装置に記憶された各種サービス情報を前記上位装置に無線で接続された車載機へ提供するサービス情報提供システムにおいて、
サービス情報を利用する利用地域、利用施設の種別、サービス情報の提供を受けたい提供時間帯、及び施設を利用する利用時間帯を含む利用者の欲しいサービス情報の条件を前記端末装置にセットされた電子装置へ登録し、このサービス情報の提供を受けたい車載機の識別情報を前記電子装置へ登録し、前記電子装置へ登録されたサービス情報の条件、及び前記電子装置へ登録されたサービス情報の提供先となる前記車載機の識別情報、さらには前記電子装置の識別情報を、前記上位装置に登録する登録手段と、
前記上位装置に記憶されたサービス情報の中から、前記上位装置に登録された前記サービス情報の条件に該当するサービス情報を検索する検索手段と、
前記上位装置に登録された識別情報に対応する前記車載機に、前記上位装置に登録された識別情報に対応する電子装置がセットされているかどうかを確認する確認手段と、
前記確認手段により前記上位装置に登録された識別情報に対応する前記車載機に、前記上位装置に登録された識別情報に対応する電子装置がセットされていることが確認されれば、前記検索手段により検索されたサービス情報を、前記上位装置に登録された識別情報に対応する前記車載機へ提供する提供手段と、
を有することを特徴とするサービス情報提供システム。
【請求項４】
前記登録手段は、
前記電子装置がセットされた端末装置が前記上位装置とオンライン接続可能であるかを判定し、
この判定によりオンライン接続可能であると判定されると前記電子装置内の情報を前記上位装置に送信し、前記判定によりオンライン接続不可能であると判定されると前記電子装置にオフラインで登録した旨の情報をセットしオンライン接続可能になってから前記電子装置に記憶されたオフラインで登録した旨の情報をリセットし前記電子装置内の情報を前記上位装置に送信する、
ことを特徴とする請求項３に記載のサービス情報提供システム。
【発明の詳細な説明】
【技術分野】
【０００１】
本発明は、たとえば、ＩＣカードやメモリカードなどの携帯可能電子装置（即ち、端末装置に着脱自在な電子装置）と車載機や携帯電話機などの端末装置を用いて、利用者が真に欲しい利用価値の高いサービス情報を提供するサービス情報提供方法およびサービス情報提供システムに関する。
【背景技術】
【０００２】
近年、企業だけでなく家庭にまでパーソナルコンピュータ（以降、単にパソコンと略称する）、および、パソコン通信やインターネットに代表されるネットワークが広がりつつある。この広がりと相俟って、様々なサービスが提供されるようになってきた。最近では、ほとんどの企業はもちろん、個人商店や一般家庭でもホームページを持ち、情報発信を行なっており、ネットワーク上には膨大な情報が溢れている。
【０００３】
一方、この情報を見るための端末装置については、企業や家庭のパソコンはもちろんのこと、いわゆるインターネットカフェ（インターネットの使える喫茶店）や、キオスク端末装置などに代表される街頭端末装置、企業が独自のサービスを提供する専用端末装置などが普及してきている。
【０００４】
自動車を見ると、最近では、カーナビゲーションが普及し始め、ＥＴＣ（Electronic Toll Collection system）や将来のＩＴＳ（Intelligent  Transport  Systems）を睨んだ車載機（移動端末装置）が開発され、自動車内の情報化やネットワーク化も始まりつつある。
【０００５】
また、ネットワークで重要な役割を果たす通信については、携帯電話機の爆発的な普及、ＩＳＤＮに代表される従来の電話網の高速化など、通信インフラが整いつつある。さらに、携帯電話機は、電話機能だけでなく、電子メールやインターネットを取込んだ携帯端末装置の機能を持つものまで現れてきている。
【０００６】
このように、様々な形で、情報の発信や受信が行なわれてきているが、利用者の真に欲しいサービス情報だけがいつでもどこでも得られる仕組みや、利用者がこれらのサービス情報を有効に活用したすることのできる統合的なサービスの仕組みはまだ充分とは言えない状況である。
【０００７】
これらの技術と関連するものとして、たとえば、特開平１１−６５４３４号公報あるいは特開２０００−９９４４２号公報などに開示されている技術が知られている。
【０００８】
特開平１１−６５４３４号公報の技術は、情報提供装置が、車両に搭載された移動体端末に対して、利用者が指定した情報に加え、当該移動体端末の位置に応じた広告情報を提供するものである。
【０００９】
特開２０００−９９４４２号公報の技術は、利用者が携帯する端末から送信される位置情報に応じて、その利用者あるいはその家人に対して、利用者の行動に関するアドバイス情報を提供するものである。
【発明の開示】
【発明が解決しようとする課題】
【００１０】
従来、インターネット上で発信されている情報は、膨大な量に昇り、その中から利用者が真に必要とする情報を見つけ出すことは困難であった。また、インターネットでの情報受信は、企業や家庭で固定的にネットワークと接続されたパソコンで行なわれるのが、ほとんどであったため、パソコンを使えない場所（企業や家庭以外の場所、歩行中、車内）では、必要な情報を入手できないという問題があった。
【００１１】
また、自動車にはカーナビゲーションが塔載されているものがあるが、このような車載機で提供される情報は、ＣＤ−ＲＯＭなどの記憶媒体にあらかじめ登録された固定情報で提供されるか、あるいは、情報提供サーバから通信回線を通じて最新の情報を提供されてはいるものの、情報を提供する側が一方的に送信するだけの情報サービスで、必ずしも利用者が必要とする情報ばかりではなかった。また、車載機で細かい情報の絞り込みを行なうのは操作が煩雑になり、効果的とはいえない。
【００１２】
利用者にとって、欲しい情報は、自分の好みのものの中で、場所と日時で絞り込んだ本当に活用できる情報である。たとえば、自動車を使った観光旅行で、初めての場所を訪れ、その地域で食事を取ろうとする場合、和洋中華といった料理の分類や食事を摂ろうとする日時は重要なキーとなる。これらのキーを情報の絞込みに使わないと、膨大な情報の中から自分が必要とする情報を取得するのは非常に困難である。
【００１３】
観光旅行では、とにかく急ぎ足でいろいろなところを見て回りたいことが多いが、初めての場所やめったに訪れない場所では、こういう必要な情報を取出すにも時間がかかり、また、その店を目指して自動車を走らせるのにも、効率的な道を選択することは難しい。苦労したにもかかわらず、目指したレストランが定休日であったりするものである。これは、歩行中の場合も同じである。
【００１４】
このように、企業や家庭から一歩出た環境でも情報の入手は必要であるが、現在では利用者が必要とする情報を入手し、活用することは困難である。
【００１５】
また、特開平１１−６５４３４号公報あるいは特開２０００−９９４４２号公報の技術は、サービス情報を提供する側が一方的に送信するだけであり、必ずしも利用者が必要とするサービス情報ばかりではなく、上記同様な問題がある。
【００１６】
そこで、本発明は、利用者が真に欲しい利用価値の高いサービス情報をタイムリに提供することができ、もって、サービスを受ける側にとっては有効な情報、サービスを提供する側にとっては効果的な情報提供となるサービス情報提供方法およびサービス情報提供システムを提供することを目的とする。
【００１７】
また、本発明は、利用者が必要なサービス情報や日時をサービス情報を提供する側と利用者の携帯可能電子装置の両方に事前に登録し、携帯可能電子装置に登録した指定場所で必要なサービス情報を受取ることができるサービス情報提供方法およびサービス情報提供システムを提供することを目的とする。
【００１８】
さらに、本発明は、ＩＣカードなどの携帯可能電子装置をキーとして、利用者へ一貫したサービスを提供することができるサービス情報提供方法およびサービス情報提供システムを提供することを目的とする。
【課題を解決するための手段】
【００１９】
本発明は、上位装置に記憶された各種サービス情報を前記上位装置に無線で接続された車載機へ提供するサービス情報提供方法において、電子装置がセットされた端末装置が、サービス情報を利用する利用地域、利用施設の種別、サービス情報の提供を受けたい提供時間帯、及び施設を利用する利用時間帯を含む利用者の欲しいサービス情報の条件を前記電子装置へ登録し、このサービス情報の提供を受けたい車載機の識別情報を前記電子装置へ登録し、前記電子装置へ登録されたサービス情報の条件、及び前記電子装置へ登録されたサービス情報の提供先となる前記車載機の識別情報、さらには前記電子装置の識別情報を、前記上位装置に登録する登録ステップと、前記上位装置が、この上位装置に記憶されたサービス情報の中から、この上位装置に登録された前記サービス情報の条件に該当するサービス情報を検索する検索ステップと、前記上位装置が、この上位装置に登録された識別情報に対応する前記車載機に、この上位装置に登録された識別情報に対応する電子装置がセットされているかどうかを確認する確認ステップと、前記上位装置が、前記確認ステップにおいてこの上位装置に登録された識別情報に対応する前記車載機に、この上位装置に登録された識別情報に対応する電子装置がセットされていることが確認されれば、前記検索ステップにおいて検索されたサービス情報を、この上位装置に登録された識別情報に対応する前記車載機へ提供する提供ステップとを有することを特徴とするサービス情報提供方法である。
【００２０】
又本発明は、上位装置に記憶された各種サービス情報を前記上位装置に有線あるいは無線で接続された端末装置へ提供するサービス情報提供システムにおいて、サービス情報を利用する利用地域、利用施設の種別、サービス情報の提供を受けたい提供時間帯、及び施設を利用する利用時間帯を含む利用者の欲しいサービス情報の条件を前記端末装置にセットされた電子装置へ登録し、このサービス情報の提供を受けたい車載機の識別情報を前記電子装置へ登録し、前記電子装置へ登録されたサービス情報の条件、及び前記電子装置へ登録されたサービス情報の提供先となる前記車載機の識別情報、さらには前記電子装置の識別情報を、前記上位装置に登録する登録手段と、前記上位装置に記憶されたサービス情報の中から、前記上位装置に登録された前記サービス情報の条件に該当するサービス情報を検索する検索手段と、前記上位装置に登録された識別情報に対応する前記車載機に、前記上位装置に登録された識別情報に対応する電子装置がセットされているかどうかを確認する確認手段と、前記確認手段により前記上位装置に登録された識別情報に対応する前記車載機に、前記上位装置に登録された識別情報に対応する電子装置がセットされていることが確認されれば、前記検索手段により検索されたサービス情報を、前記上位装置に登録された識別情報に対応する前記車載機へ提供する提供手段とを有することを特徴とするサービス情報提供システムである。
【００２１】
本発明によれば、利用者が真に必要とするサービス情報がタイムリに提供されることにより、サービスを受ける側にとっては有効な情報、サービスを提供する側にとっては効果的な情報提供となり、両者にメリットを提供できる。
【００２２】
また、本発明によれば、利用者が必要なサービス情報や日時をサービス情報を提供する側と利用者の携帯可能電子装置の両方に事前に登録し、携帯可能電子装置に登録した指定場所で必要なサービス情報を受取れるので、どこでも必要なサービス情報を得ることができる。
【００２３】
また、本発明によれば、携帯可能電子装置には情報が蓄積できるので、家庭などで携帯可能電子装置にだけ必要なサービス情報の条件を登録し、携帯可能電子装置を車載機などの端末装置にセットしたときに、サービス情報提供側へ条件登録を送信することが可能である。
【００２４】
さらに、本発明によれば、ＩＣカードなどの携帯可能電子装置をキーとして、条件登録、受信場所の登録、サービス情報の提供、サービス情報の活用、最適ルート情報の提供、予約確認・決済を統合することにより、利用者へ一貫したサービスを提供することができる。
【発明の効果】
【００２５】
以上詳述したように本発明によれば、利用者が真に欲しい利用価値の高いサービス情報をタイムリに提供することができ、もって、サービスを受ける側にとっては有効な情報、サービスを提供する側にとっては効果的な情報提供となるサービス情報提供方法およびサービス情報提供システムを提供できる。
【００２６】
また、本発明によれば、利用者が必要なサービス情報や日時をサービス情報を提供する側と利用者の携帯可能電子装置の両方に事前に登録し、携帯可能電子装置に登録した指定場所で必要なサービス情報を受取ることができるサービス情報提供方法およびサービス情報提供システムを提供できる。
【００２７】
さらに、本発明によれば、ＩＣカードなどの携帯可能電子装置をキーとして、条件登録、受信場所の登録、サービス情報の提供、サービス情報の活用、最適ルート情報の提供、予約確認・決済を統合することにより、利用者へ一貫したサービスを提供することができるサービス情報提供方法およびサービス情報提供システムを提供できる。
【発明を実施するための最良の形態】
【００２８】
以下、本発明の実施の形態について図面を参照して説明する。
【００２９】
図１は、本実施の形態に係るサービス情報提供システムの構成を概略的に示すものである。図１において、各種端末装置１は、たとえば、企業や家庭内の有線電話機２及び企業や家庭内のパソコン３、自動車道のサービスエリアなどに設置された街頭端末装置４、自動車に載置される車載機（移動体端末装置）５、個人が所有する携帯電話機６などである。有線電話機２、パソコン３、街頭端末装置４は、有線で通信ネットワーク７に接続されている。
【００３０】
有線電話機２及び企業や家庭内のパソコン３は、携帯可能電子装置としての小形のＩＣカード（あるいは、メモリカードなど）８を処理するカードリーダライタ機能を備えているものとする。
【００３１】
自動車道のサービスエリアなどに設置された街頭端末装置４は、たとえば、利用者に対して各種サービス情報などを提供可能とするもので、ＩＣカード８を処理するカードリーダライタ機能、各種情報を入力する入力機能（キーボード）、および、各種情報を表示する表示機能（ディスプレイ）などを備えている。
【００３２】
自動車に載置される車載機５は、衛星９からの信号を利用して現在位置情報を取得するＧＰＳによるナビゲーション機能、有線で通信ネットワーク７に接続された最寄りの基地局１０との間で無線による通信を行なう無線通信機能、ＩＣカード８を処理するカードリーダライタ機能、各種情報を入力する入力機能（キーボード）、および、地図を含む各種情報を表示する表示機能（ディスプレイ）などを備えている。
【００３３】
携帯電話機６は、通信ネットワーク７に接続された最寄りの基地局１０との間で無線により通信を行なうもので、たとえば、利用者に対して各種サービス情報などを提供可能とするもので、ＩＣカード８（ＳＩＭカードを含む）を処理するカードリーダライタ機能、各種情報を入力する入力機能（キーボード）、および、各種情報を表示する表示機能（ディスプレイ）などを備えている。
【００３４】
ＩＣカード８は、たとえば、半導体メモリおよびそれらを制御するＣＰＵなどからなるＩＣチップが内蔵されており、後述する利用者が欲しい情報の条件および受信場所などの各種情報が記憶される。
【００３５】
なお、本実施の形態では、携帯可能電子装置として小形のＩＣカード８を用いて説明したが、これに限らず、多用な外形状のものが考えられることは言うまでもない。
【００３６】
各種店舗（利用施設）に設置された店舗端末装置１１は、予約確認機能やカード決済機能、および、ＩＣカード８を処理するカードリーダライタ機能などを備えており、有線で通信ネットワーク７に接続されている。
【００３７】
通信ネットワーク７には、上位装置としての情報提供サーバ１２が接続されている。情報提供サーバ１２は、後で詳細を説明するが、あらかじめ登録された条件に基づき各種サービス情報を提供するもので、各種サービス情報などが格納されたデータベース１３を備えている。
【００３８】
このように、各種端末装置１および店舗端末装置１１は、有線あるいは無線により通信ネットワーク７を介して情報提供サーバ１２とオンライン接続されており、これにより両者の間でオンライン処理が行なえるようになっている。
【００３９】
次に、図２０は、本発明に係るシステムを主に構成する各ユニットのブロックを示す図である。図２０において、ＩＣカード８は、ＩＣカードのＩＤ情報を初めとする各種データを記憶するメモリ３３と、端末装置２〜６と接触あるいは非接触でデータを送受信するＩ／Ｆ部３２と、全体を制御する制御部３１とからなる。
【００４０】
端末装置２〜６は、ＩＣカード８と接触あるいは非接触でデータを送受信するＩ／Ｆ部２４（リーダライタ部）と、情報提供サーバ１２と無線あるいは有線でデータを送受信するＩ／Ｆ部２６と、各種データを記憶するメモリ２５と、利用者等により外部から情報が入力されるテンキー等で構成される入力部２２と、各種情報や入力手段から入力された情報を表示する表示部２３と、全体の制御を実行する制御部２１とからなる。尚、端末装置２〜６は、図示しないがＩＣカード８用のリーダライタが取りつけられているか、あるいは内蔵されており、ＩＣカード８が装着可能な構造となっている。
【００４１】
店舗端末１１は、情報提供サーバ等外部装置と無線あるいは有線でデータを送受信するＩ／Ｆ部３９と、各種情報を記憶するメモリ３８と、外部から情報が入力されるテンキー等で構成される入力部３６と、各種情報や入力手段から入力された情報を表示する表示部３７と、全体の制御を実行する制御部３５とからなる。
【００４２】
情報提供サーバ１２は、外部装置と無線あるいは有線でデータを送受信するＩ／Ｆ部４２と、各種サービス情報や登録された条件情報、受信場所情報等を格納するデータベース部（格納部）１３と、データベース部に格納された条件情報等に基づいて、サービス情報の検索を実行する検索部４４、全体を制御する制御部４１とからなる。
【００４３】
次に、このような構成において、全体的な処理の流れについて図２に示すフローチャートを参照して概略説明する。まず、ステップＳ１にて、各種端末装置１を用いて、利用者の欲しいサービス情報の条件を入力し、その内容をＩＣカード８に登録するとともに、情報提供サーバ１２へ登録する。
【００４４】
なお、各種端末装置１と情報提供サーバ１２とは、前述したように通信ネットワーク７を介してオンライン接続されており、オンライン処理が行なえるが、もしオンライン接続されていない場合、オフラインでも処理が行なえる。その場合、各種端末装置１を用いて、利用者の欲しいサービス情報の条件をＩＣカード８に登録し、その後、オンライン接続されたときに情報提供サーバ１２への登録を行なう。
【００４５】
次に、ステップＳ２にて、各種端末装置１を用いて、実際に指定したサービス情報の提供を受けたい場所を入力し、その内容をＩＣカード８に登録するとともに、情報提供サーバ１２へ登録する。ここまでの登録処理が終了すると、指定した場所（移動中も含む）で、指定したサービス情報の提供を受けることができる準備が整う。
【００４６】
次に、ステップＳ３，Ｓ４にて、情報提供サーバ１２は、登録された条件に基づくサービス情報の検索（収集）、提供を行なう。すなわち、先に登録された欲しいサービス情報の条件に合致すると、指定されたサービス情報を指定された時間帯に、先に登録された受信場所の端末装置へ送信する。
【００４７】
たとえば、「１２：００〜１３：００に中華料理のお店の情報を車載機５に提供してほしい」と登録されている場合、車載機５の無線通信機能を用いて情報提供サーバ１２と定期的に交信を行なうことにより、指定の時間帯に通りかかる付近の中華料理のお店をリストアップし、その情報を車載機５へ送信する。情報提供サーバ１２においては、リストアップされる情報は定期的に更新され、日時情報の活用で、お店の閉店日や閉店時間などを考慮した真に利用価値の高いサービス情報を得ることができる。
【００４８】
このとき、リアルタイムに受信できず、不特定多数で利用する端末装置、たとえば、自動車道のサービスエリアなどに設置された街頭端末装置４などでは、サービス情報を蓄積しておき、ＩＣカード８をキーとしてそのサービス情報を引き出すことができる。
【００４９】
次に、ステップＳ５にて、上記のようにして提供された情報を利用者が活用する。すなわち、情報提供サーバ１２からサービスメニュー情報が提示され、その中から情報活用の手段を選択する。たとえば、上記例を用いれば、中華料理の予約、さらに、情報提供サーバ１２から事前に料理メニューを入手し、料理のオーダを行なう。
【００５０】
次に、ステップＳ６にて、自動車や電車、歩きなどの移動中の場合で、得られたサービス情報に基づいて各種施設を利用する場合、その場所までの最適ルート、利用者とその施設との位置関係の情報などを提供する。
【００５１】
次に、ステップＳ７，Ｓ８にて、予約確認および利用料金の決済を行なう。すなわち、利用者が予約した利用施設に到着すると、利用施設ではＩＣカード８および店舗端末装置１１を用いて予約内容を確認する。また、利用料金は、ＩＣカード８が決済機能を持つ場合には、そのＩＣカード８で決済を行なう。
【００５２】
次に、図２０に示す構成を用いて図２に示す全体的な処理の流れについて概略説明をする。まず、ステップＳ１にて、各種端末装置１（２〜６）の入力部２２を用いて、利用者の欲しいサービス情報の条件を入力し、その内容をＩ／Ｆ部２６を用いてＩＣカード８に登録すると共に、Ｉ／Ｆ部２４を介して情報提供サーバ１２へ送信する。
【００５３】
次に、ステップＳ２にて、各種端末装置１（２〜６）の入力部２２を用いて、実際に指定したサービス情報の提供を受けたい場所を入力し、その内容をＩ／Ｆ部２６を用いてＩＣカード８に登録するとともに、Ｉ／Ｆ部２４を介して情報サーバ１２へ送信する。情報提供サーバ１２の制御部４１は、Ｉ／Ｆ部４２を介して受信した内容をデータベース１３に格納する。ここまでの登録処理が終了すると、指定した場所（移動中も含む）で、指定したサービス情報の提供を受けることができる準備が整う。
【００５４】
次に、ステップＳ３，Ｓ４にて，情報提供のサーバ１２の制御部４１は、データベース１３に登録された条件に基づいて検索部４４を用いてサービス情報の検索（収集）を行う。この検索部４４による検索の結果、先に登録された欲しいサービスの情報の条件に合致する情報が検索されると、制御部４１はＩ／Ｆ部４２を介して指定されたサービス情報を指定された時間帯に、先に登録された受信場所の端末装置へ送信する。
【００５５】
たとえば、情報提供サーバ１２のデータベース１３に「１２：００〜１３：００に中華料理のお店の情報を車載機５に提供してほしい」と登録されている場合、情報提供サーバ１２の制御部４１は必要に応じて基地局を介して車載機５の無線通信機能（Ｉ／Ｆ部２４）を用いて情報提供サーバ１２と定期的に交信を行い、検索部４４にて指定の時間帯に通りかかる付近の中華料理のお店をリストアップし、Ｉ／Ｆ部４２を介してその情報を車載機５へ送信する。情報提供サーバ１２においては、リストアップされる情報は定期的に更新され、日時情報の活用で、お店の閉店日や閉店時間などを考慮した真に利用価値の高いサービス情報を得ることができる。
【００５６】
このとき、リアルタイムに受信できず、不特定多数で利用する端末装置、たとえば、自動車道のサービスエリアなどに設置された街頭端末装置４の制御部２１では、サービス情報をメモリ２５に蓄積しておき、ＩＣカード８と通信するＩ／Ｆ部２６からの信号をキーとしてそのサービス情報をメモリ２５から引き出すことができる。
【００５７】
次にステップＳ５にて、上記のようにしてＩ／Ｆ部２４からＩ／Ｆ部３２へと提供された情報を利用者が活用する。すなわち、端末装置１（２〜６）の制御部２１は、情報提供サーバ１２からＩ／Ｆ部３２を介して受信したサービスメニュー情報を表示部２３に表示し、その表示されたメニューの中から入力部２２を用いて情報活用の手段を選択する。
【００５８】
次に、ステップＳ６にて、自動車や電車、歩きなどの移動中の場合で、得られたサービス情報に基づいて各種施設を利用する場合、情報提供サーバ１２は、データベース１３に格納された情報を用いてその場所までの最適ルート、利用者とその施設との位置関係の情報などをＩ／Ｆ部４２を介して端末装置１へ送信する。
【００５９】
次に、ステップＳ７，Ｓ８にて、予約確認及び利用料金の決済を行う。すなわち、利用者が予約した利用施設に到着すると、利用施設ではＩＣカード８および添付端末装置１１を用いてそれぞれのメモリ３８、２５に記憶された予約内容を確認する。又、利用料金は、ＩＣカード８が決済機能をもつ場合には、店舗端末１１の制御部３５はそのＩＣカード８を用いて決済を行う。
【００６０】
以下、各ステップについて詳細に説明する。
【００６１】
まず、ステップＳ１の条件登録について説明する。なお、条件登録では、各種端末装置１として家庭内のパソコン３を用いた場合について説明するが、他の端末装置を用いても同様である。
【００６２】
まず、オンライン処理について図３に示す用いる機器の図および図４に示すフローチャートを参照して説明する。
【００６３】
ステップＳ１１にて、利用者は、パソコン３にＩＣカード８をセットする。パソコン３は、ＩＣカード８がセットされると、そのＩＣカード８からそれに記憶されている個人識別情報としてのＩＤ番号を読出し、この読出したＩＤ番号を情報提供サーバ１２へ送信する。このとき、情報提供サーバ１２が動作していないなどの理由でオンライン処理が不可能な場合（Ｓ１２）、後述するオフライン処理に進む。
【００６４】
オンライン処理が可能な場合（Ｓ１２）、情報提供サーバ１２は、パソコン３からのＩＤ番号を受取ると、たとえば、そのＩＤ番号が登録されているか、すなわち、本システムを利用するための会員登録がされているかにより、個人認証を行なう（Ｓ１３）。
【００６５】
次に、利用者は、パソコン３において、利用者の欲しいサービス情報の条件、たとえば、サービス情報を利用する利用地域、遊園地、動物園、レストランなどの利用施設、サービス情報の提供を受けたい提供時間帯、施設を利用する利用時間帯などを入力する（Ｓ１４）。
【００６６】
パソコン３は、入力された各条件情報を、セットされているＩＣカード８へ送信して（Ｓ１５）、たとえば、図５に示すように、ＩＣカード８に記憶するとともに（Ｓ１６）、情報提供サーバ１２へ送信する（Ｓ１７）。
【００６７】
情報提供サーバ１２は、パソコン３からの各条件情報を、たとえば、図６に示すように、データベース１３に記憶するとともに（Ｓ１８）、パソコン３を介してＩＣカード８内に設けられているオフライン処理フラグをリセットする（Ｓ１９）。
【００６８】
ここに、オフライン処理フラグは、条件登録をオンライン処理で行なったのか、オフライン処理で行なったのかを示すもので、リセット状態はオンライン処理を行なったことを示し、セット状態はオフライン処理を行なったことを示しており、このオフライン処理フラグを参照することにより、条件登録をオンライン処理で行なったのか、オフライン処理で行なったのかを判別できるようになっている。
【００６９】
以上で、オンライン処理による条件登録が終了する。
【００７０】
次に、オフライン処理について図７に示す用いる機器の図および図８に示すフローチャートを参照して説明する。
【００７１】
ステップＳ２１にて、利用者は、パソコン３にＩＣカード８をセットする。次に、利用者は、パソコン３において、利用者の欲しいサービス情報の条件、たとえば、サービス情報を利用する利用地域、遊園地、動物園、レストランなどの利用施設、サービス情報の提供を受けたい提供時間帯、施設を利用する利用時間帯などを入力する（Ｓ２２）。
【００７２】
パソコン３は、入力された各条件情報を、セットされているＩＣカード８へ送信して（Ｓ２３）、たとえば、図５に示すように、ＩＣカード８に記憶するとともに（Ｓ２４）、ＩＣカード８内に設けられたオフライン処理フラグをセットする（Ｓ２５）。
【００７３】
以上で、オフライン処理による条件登録が終了する。
【００７４】
このように、オフライン処理により条件登録され、オフライン処理フラグがセットされたＩＣカード８がパソコン３にセットされた場合、図４において、ステップＳ１４〜Ｓ１６が省略される代わりに、ステップＳ１７にてＩＣカード８に記憶されている条件情報を読出して情報提供サーバ１２へ送信し、ＩＣカード８内のオフライン処理フラグをリセットするようになっている（Ｓ１９）。
【００７５】
次に、ステップＳ２の受信場所登録について、図９に示す用いる機器の図および図１０に示すフローチャートを参照して説明する。なお、受信場所登録では、各種端末装置１として家庭内のパソコン３を用いた場合について説明するが、他の端末装置を用いても同様である。
【００７６】
まず、ステップＳ３１にて、利用者は、パソコン３にＩＣカード８をセットする。パソコン３は、ＩＣカード８がセットされると、そのＩＣカード８からＩＤ番号を読出し、この読出したＩＤ番号を情報提供サーバ１２へ送信する。このとき、情報提供サーバ１２が動作していないなどの理由でオンライン処理が不可能な場合（Ｓ３２）、ステップＳ３１に戻る。
【００７７】
オンライン処理が可能な場合（Ｓ３２）、情報提供サーバ１２は、パソコン３からのＩＤ番号を受取ると、たとえば、そのＩＤ番号が登録されているか、すなわち、本システムを利用するための会員登録がされているかにより、個人認証を行なう（Ｓ３３）。
【００７８】
次に、情報提供サーバ１２での個人認証が終了すると、パソコン３は、セットされているＩＣカード８内のオフライン処理フラグがセット（ＯＮ）されているか、リセット（ＯＦＦ）されているかをチェックし（Ｓ３４）、セット（ＯＮ）されていれば、条件がオフライン処理により登録されているので、ＩＣカード８から条件登録内容を読出して（Ｓ３５）、この読出した条件登録内容を情報提供サーバ１２へ送信する。
【００７９】
情報提供サーバ１２は、パソコン３からの条件登録内容をデータベース１３に記憶するとともに（Ｓ３６）、ＩＣカード８内のオフライン処理フラグをリセットし（Ｓ３７）、ステップＳ３８に進む。ステップＳ３４において、オフライン処理フラグがリセット（ＯＦＦ）されている場合、条件がオンライン処理により登録されているので、ステップＳ３５〜Ｓ３７をジャンプしてステップＳ３８に進む。
【００８０】
ステップＳ３８において、利用者は、パソコン３により、欲しいサービス情報の提供を受けたい場所、すなわち、受信場所情報として、受信する端末装置のアドレスおよび電話番号などを入力する（Ｓ３８）。パソコン３は、入力された受信場所情報を、セットされているＩＣカード８へ送信して（Ｓ３９）、たとえば、図５に示すように、ＩＣカード８に記憶するとともに（Ｓ４０）、情報提供サーバ１２へ送信する（Ｓ４１）。
【００８１】
情報提供サーバ１２は、パソコン３からの受信場所情報を、たとえば、図６に示すように、データベース１３に記憶するとともに（Ｓ４２）、パソコン３を介してＩＣカード８内に設けられている受信場所登録処理終了フラグをセットする（Ｓ４３）。
【００８２】
以上で、受信場所の登録処理が終了する。
【００８３】
尚、条件登録の処理と受信場所の登録処理をそれぞれ別々に行う場合を説明したが、図２１、図２２に示すように、オンライン接続時に条件登録処理に続けて或いは一緒に受信場所の登録処理を実行することも可能である。図２１の場合、図１０におけるステップＳ３１からステップＳ３７までの処理を省略することができる。図２２の場合、条件情報と共に受信場所も入力し、登録することができる。
【００８４】
次に、ステップＳ３，Ｓ４の情報検索、提供について、図１１に示す用いる機器の図および図１２に示すフローチャートを参照して説明する。なお、情報検索、提供では、各種端末装置１として車載機５を用いた場合について説明するが、他の端末装置を用いても同様である。
【００８５】
まず、ステップＳ５１にて、情報提供サーバ１２は、先に登録された利用時間帯になったか否かをチエックし、利用時間帯になると、受信場所が指定されているか否かをチエックし（Ｓ５２）、受信場所が指定されている場合、登録された条件の内容にしたがってデータベース１３を検索することにより、指定されたサービス情報を取得（収集）する（Ｓ５３）。
【００８６】
ステップＳ５２において、受信場所が指定されていない場合、情報提供サーバ１２は、その旨を車載機５へ送信する。これを受けた車載機５は、ナビゲーション機能により現在の場所（現在位置）情報を取得し、それを情報提供サーバ１２へ送信する（Ｓ５４）。これを受けた情報提供サーバ１２は、上述したステップＳ５３の処理を行なう。
【００８７】
次に、ステップＳ５５にて、情報提供サーバ１２は、車載機５に正しいＩＣカード８がセットされているか否かをチェックする。このチェックの結果、正しいＩＣカード８がセットされていない場合、車載機５のディスプレイに「正しいカードがセットされていません」とメッセージを表示して（Ｓ５７）、正しいＩＣカード８のセットを促し、ステップＳ５６に戻る。
【００８８】
ステップＳ５６において、正しいＩＣカード８がセットされている場合、情報提供サーバ１２は、車載機５を介してＩＣカード８からＩＤ番号を読出し（Ｓ５８）、そのＩＤ番号が登録されているか、すなわち、本システムを利用するための会員登録がされているかにより、個人認証を行なう（Ｓ５９）。
【００８９】
次に、ステップＳ５９の個人認証の結果、会員登録されたＩＤ番号であると判断されると、情報提供サーバ１２は、取得（収集）した指定されたサービス情報などを車載機５へ送信する（Ｓ６０）。車載機５は、情報提供サーバ１２からのサービス情報などを受信し（Ｓ６１）、この処理を終了する。
【００９０】
次に、ステップＳ５の情報の活用について、図１３に示す用いる機器の図、図１４に示す案内画面例、および、図１５に示すフローチャートを参照して説明する。なお、情報検索、情報の活用では、各種端末装置１として車載機５を用いた場合について説明するが、他の端末装置を用いても同様である。
【００９１】
まず、車載機５は、情報提供サーバ１２から提供される図１４に示すようなメニュー画面をディスプレイに順次表示する。すなわち、たとえば、レストランの情報を要求していた場合、まず、図１４（ａ）に示すようなレストランのメニュー画面が表示される。ここで、利用者が例えば「Ａ店」を選択することにより、図１４（ｂ）に示すようなＡ店の情報画面が表示される。ここで、利用者が例えば項目「詳細情報表示」を選択することにより、図１４（ｃ）に示すようなＡ店の詳細情報画面が表示される。ここで、利用者は、たとえば、料理メニューを要求したり、あるいは、Ａ店の周辺地図を要求したりして、それを活用することができる。
【００９２】
ところで、図１４（ｂ）のＡ店の情報画面において、項目「予約」を選択した場合、たとえば、図１５のフローチャートにしたがってレストランの予約処理が行なわれる。
【００９３】
すなわち、ステップＳ７１にて、利用者は、車載機５にＩＣカード８をセットする。車載機５は、ＩＣカード８がセットされると、そのＩＣカード８からそれに記憶されているＩＤ番号を読出し、この読出したＩＤ番号を情報提供サーバ１２へ送信する。このとき、情報提供サーバ１２が動作していないなどの理由でオンライン処理が不可能な場合（Ｓ７２）、ステップＳ７１に戻る。
【００９４】
オンライン処理が可能な場合（Ｓ７２）、情報提供サーバ１２は、車載機５からのＩＤ番号を受取ると、たとえば、そのＩＤ番号が登録されているか、すなわち、本システムを利用するための会員登録がされているかにより、個人認証を行なう（Ｓ７３）。
【００９５】
次に、利用者は、車載機５において、予約内容として、たとえば、ＩＤ番号、予約番号、人数、部屋、料理内容、利用時間帯などを入力する（Ｓ７４）。車載機５は、入力された予約内容を、セットされているＩＣカード８へ送信して（Ｓ７５）、ＩＣカード８に記憶するとともに（Ｓ７６）、情報提供サーバ１２へ送信する（Ｓ７７）。
【００９６】
情報提供サーバ１２は、車載機５からの予約内容を、データベース１３に記憶するとともに（Ｓ７８）、予約された店舗（レストラン）の店舗端末装置１１へ送信する（Ｓ７９）。店舗端末装置１１は、情報提供サーバ１２からの予約内容を記憶するとともに（Ｓ８０）、車載機５を介してＩＣカード８内に設けられている予約処理されたことを示す予約処理フラグをセットする（Ｓ８１）。
【００９７】
以上で、予約処理が終了する。
【００９８】
次に、ステップＳ６の最適ルート情報の提供について、図１４に示す案内画面例および図１６に示す用いる機器の図を参照して説明する。なお、最適ルート情報の提供は、たとえば、上述した予約処理に関連して行なわれるものである。
【００９９】
すなわち、たとえば、上述したようにレストランの予約を行なった後、再び図１４（ｃ）に示すＡ店の詳細情報画面に戻り、ここで、利用者は、項目「最適ルート」を選択する。項目「最適ルート」が選択されると、車載機５は、ナビゲーション機能を用いて、現在地から先に予約されたレストラン「Ａ店」までの最適なルートを求め、この求めた最適ルートを、たとえば、図１４（ｄ）に示すようにディスプレイに表示する。図１４（ｄ）において、ａが現在地、ｂがＡ店を示している。利用者は、この表示画面を見ながら目的地であるレストラン「Ａ店」に向かうことができる。
【０１００】
以上で、最適ルート情報の提供処理が終了する。
【０１０１】
次に、ステップＳ７の予約確認について、図１７に示す用いる機器の図および図１８に示すフローチャートを参照して説明する。
【０１０２】
利用者が予約した利用施設（上記例ではレストラン「Ａ店」）に到着すると、利用施設では予約内容を確認する。すなわち、まず、ステップＳ９１にて、店舗端末装置１１に利用者のＩＣカード８をセットする。店舗端末装置１１は、ＩＣカード８がセットされると、そのＩＣカード８からそれに記憶されている予約内容（ＩＤ番号、予約番号、人数、部屋、料理内容、利用時間帯など）を読出し、先に記憶している対応する予約内容と照合することにより、利用条件が合致するか否かをチェックする（Ｓ９２）。
【０１０３】
このチェックの結果、利用条件が合致しなかった場合、店舗端末装置１１は、利用条件が合致していないことをディスプレイに表示する（Ｓ９３）。係員は、これを見て利用者にその旨を伝え、予約確認処理を終了する。上記チェックの結果、利用条件が合致した場合、店舗端末装置１１は、利用条件が合致していることをディスプレイに表示し（Ｓ９４）、施設の利用を許可する。係員は、これを見て利用者にその旨を伝え、利用者は施設の利用を行なう（Ｓ９５）。
【０１０４】
以上で、予約確認処理が終了する。
【０１０５】
次に、ステップＳ８の利用料金の決済について、図１７に示す用いる機器の図および図１９に示すフローチャートを参照して説明する。
【０１０６】
利用者は、施設を利用した後に利用料金の決済を行なうが、ＩＣカード８が決済機能を持つ場合には、そのＩＣカード８で決済を行なう。すなわち、まず、ステップＳ１０１にて、店舗端末装置１１に利用者のＩＣカード８をセットする。店舗端末装置１１は、ＩＣカード８がセットされると、そのＩＣカード８からそれに記憶されている予約内容（ＩＤ番号、予約番号、人数、部屋、料理内容、利用時間帯など）を読出し、先に記憶している対応する予約内容と照合することにより、利用条件が合致するか否かをチェックする（Ｓ１０２）。
【０１０７】
このチェックの結果、利用条件が合致しなかった場合、店舗端末装置１１は、利用条件が合致していないことをディスプレイに表示する（Ｓ１０３）。この場合は利用条件を変更する（Ｓ１０４）。上記チェックの結果、利用条件が合致した場合、店舗端末装置１１は、利用条件が合致していることをディスプレイに表示する（Ｓ１０５）。
【０１０８】
次に、店舗端末装置１１に決済金額（取引金額）を入力する（Ｓ１０６）。ここで、ステップＳ１０１でセットされたＩＣカード８とは異なるＩＣカードを用いて決済処理を行なう場合は、そのＩＣカードを店舗端末装置１１にセットする（Ｓ１０７）。しかし、ステップＳ１０１でセットされたＩＣカード８をそのまま用いて決済処理を行なう場合は、ステップＳ１０７の処理は省略される。
【０１０９】
次に、店舗端末装置１１は、セットされたＩＣカード８からＩＤ番号および所定の決済情報を読出し、入力された決済金額を引き落とす、周知の決済処理を行なう（Ｓ１０８）。
【０１１０】
以上で、利用料金の決済処理が終了する。
【０１１１】
以上説明したサービス情報提供システムによれば、たとえば、自動車を使った観光旅行などで、家庭のパソコンや、自動車道のサービスエリアなどに設置される街頭端末装置などで欲しいサービス情報の内容を事前に登録し、その内容と登録した情報提供サーバのアドレスまたは電話番号をＩＣカードに登録しておき、自動車に乗ったときに、そのＩＣカードを車載機にセットすることにより、ＩＣカードを使って登録した欲しいサービス情報をいつ、どの車載機へ送信したらよいかを車載機から情報提供サーバへ送信し、この登録情報に基づき、利用者が真に必要とするサービス情報を入手できる。
【０１１２】
この登録情報は、ＩＣカードに記憶されているので、実際にサービス情報の提供を受ける直前までにオンラインで登録情報を情報提供サーバへ上げればよい。したがって、普通は登録情報を入力する場合、オフラインで処理することも可能である。
【０１１３】
このように、個人が必要とするサービス情報がタイムリに提供されることにより、サービスを受ける側にとっては有効な情報、サービスを提供する側にとっては効果的な情報提供となり、両者にメリットを提供できる。
【０１１４】
利用者が必要なサービス情報や日時をパソコンなどで情報提供サーバと利用者のＩＣカードとの両方に事前に登録し、ＩＣカードに登録した指定場所で必要なサービス情報を受取れるので、どこでも必要なサービス情報を得ることができる。
【０１１５】
ＩＣカードには情報が蓄積できるので、家庭などでＩＣカードにだけ必要なサービス情報の条件を登録し、車載機などにセットしたときに、情報提供サーバへ条件登録を送信することが可能である。
【０１１６】
ＩＣカードをキーとして、条件登録、受信場所の登録、サービス情報の提供、サービス情報の活用、最適ルート情報の提供、予約確認・決済を統合することにより、利用者へ一貫したサービスを提供することができる。
【０１１７】
上記した実施形態は、例えば以下のようにまとめることができる。
【０１１８】
（１）上位装置に記憶された各種サービス情報を前記上位装置に有線あるいは無線で接続された端末装置へ提供するサービス情報提供方法は、サービス情報の提供を受けたい端末装置に関連する識別情報を前記上位装置と前記端末装置に着脱自在な電子装置に登録するステップと、この登録された前記識別情報が示す端末装置に前記登録された電子装置がセットされているかを確認するステップと、この確認ステップにより電子装置が端末装置にセットされていると確認された場合に前記登録された識別情報が示す端末装置に対して前記上位装置に記憶されたサービス情報を提供するステップとを有することを特徴とするサービス情報提供方法である。
【０１１９】
（２）上記（１）に記載のサービス情報提供方法の前記登録ステップは、登録するために前記電子装置がセットされた端末装置が前記上位装置とオンライン接続可能であるかを判定するステップと、この判定によりオンライン接続可能であると判定されると、前記識別情報を前記上位装置と前記端末装置にセットされた電子装置に記憶し、前記判定によりオンライン接続不可能であると判定されると、前記識別情報とオフラインで登録した旨の情報とを前記端末装置にセットされた電子装置に記憶するステップとを有することを特徴とするサービス情報提供方法である。
【０１２０】
（３）上記（２）に記載のサービス情報提供方法は、前記登録された識別情報が示す端末装置と同一あるいは異なる端末装置に対して前記電子装置がセットされると、前記電子装置にオフラインで登録した旨の情報が記憶されているかを判定するステップと、この判定によりオフラインで入力した旨の情報が記憶されていると判定されると、前記電子装置に記憶されている前記識別情報を読み出すステップと、この読み出した識別情報を前記上位装置に記憶するステップとを更に有することを特徴とするサービス情報提供方法である。
【０１２１】
（４）上記（１）に記載のサービス情報提供方法の前記確認ステップは、前記登録された前記識別情報が示す端末装置に正規の電子装置がセットされているかを判定するステップと、この判定により正規の電子装置が端末装置にセットされていると判定されると、このセットされている電子装置が登録ステップ時に用いられた電子装置であるかを判定するステップとを有することを特徴とするサービス情報提供方法である。
【０１２２】
（５）上記（１）に記載のサービス情報提供方法は、前記提供ステップにより提供されたサービス情報のうち特定の情報についての予約内容に関する情報が入力されると、この予約情報を前記上位装置と前記サービス情報が提供されている端末装置にセットされた電子装置とに予約登録するステップと、この予約登録した予約情報の利用時に、前記電子装置に記憶された予約情報と、前記上位装置に記憶された予約情報とを比較することにより予約情報の正当性を確認するステップとを有することを特徴とするサービス情報提供方法である。
【０１２３】
（６）上記（５）に記載のサービス情報提供方法の前記予約登録ステップは、前記セットされた電子装置に対する認証処理を実行するステップと、この認証の結果、正当な電子装置であると認証されると、予約情報の登録を実行するよう制御するステップとを有することを特徴とするサービス情報提供方法である。
【０１２４】
（７）上記（５）に記載のサービス情報提供方法は、前記電子装置に記憶された予約情報に応じて利用に伴う決済処理を実行することを特徴とするサービス情報提供方法である。
【０１２５】
（８）各種サービス情報を記憶する記憶手段と、この記憶されたサービス情報を有線あるいは無線で接続された端末装置に対して提供するサービス情報提供装置におけるサービス情報提供方法は、サービス情報の提供を受けたい端末装置に関連する第１の識別情報が入力されると、入力された第１の識別情報及び前記端末装置に着脱自在な電子装置の第２の識別情報とを前記記憶手段に格納するステップと、この格納された前記第１の識別情報が示す端末装置に前記第２の識別情報が示す電子装置がセットされているかを確認するステップと、この確認ステップにより電子装置が端末装置にセットされていると確認された場合に前記格納された第１の識別情報が示す端末装置に対して前記記憶手段に記憶されたサービス情報を提供するステップとを有することを特徴とするサービス情報提供装置におけるサービス情報提供方法である。
【０１２６】
（９）上位装置に記憶された各種サービス情報を前記上位装置に有線あるいは無線で接続された端末装置へ提供するサービス情報提供システムは、サービス情報の提供を受けたい端末装置に関連する識別情報が入力される入力手段と、この入力手段により入力された識別情報を前記上位装置と前記端末装置に着脱自在な電子装置に登録する登録手段と、この登録手段により登録された前記識別情報が示す端末装置に前記登録された電子装置がセットされているかを判定する判定手段と、この判定手段により電子装置が端末装置にセットされていると判定されると前記登録された識別情報が示す端末装置に対して前記上位装置に記憶されたサービス情報を提供する提供手段とを有することを特徴とするサービス情報提供システムである。
【０１２７】
（１０）上記（９）に記載のサービス情報提供システムの前記登録手段は、登録するために前記電子装置がセットされた端末装置が前記上位装置とオンライン接続可能であるかを判定するオンライン判定手段と、このオンライン判定手段によりオンライン接続可能であると判定されると、前記入力手段により入力された識別情報を前記上位装置と前記端末装置にセットされた電子装置に記憶する第１の制御手段と、前記オンライン判定手段によりオンライン接続不可能であると判定されると、前記入力手段により入力された識別情報と、オフラインで登録した旨の情報とを前記端末装置にセットされた電子装置に記憶する第２の制御手段とを有することを特徴とするサービス情報提供システムである。
【０１２８】
（１１）上記（１０）に記載サービス情報提供システムは、前記登録された識別情報が示す端末装置と同一あるいは異なる端末装置に対して前記電子装置がセットされると、前記電子装置にオフラインで登録した旨の情報が記憶されているかを判定するオフライン判定手段と、このオフライン判定手段によりオフラインで入力した旨の情報が記憶されていると判定されると、前記電子装置に記憶されている前記識別情報を読み出す読出手段と、この読出手段により読み出された識別情報を前記上位装置に記憶する第３の制御手段とを有することを特徴とするサービス情報提供システムである。
【０１２９】
（１２）上記（９）に記載のサービス情報提供システムの前記確認手段は、前記登録手段により登録された前記識別情報が示す端末装置に正規の電子装置がセットされているかを判定する第１の判定手段と、この第１の判定手段により正規の電子装置がセットされていると判定されると、このセットされている電子装置が登録時に用いられた電子装置であるかを判定する第２の判定手段とを有することを特徴とするサービス情報提供システムである。
【０１３０】
（１３）上記（９）に記載のサービス情報提供システムは、前記提供手段により提供されたサービス情報のうち特定の情報についての予約内容に関する情報を入力するための予約情報入力手段と、この予約情報入力手段により入力された予約情報を、前記上位装置と前記サービス情報が提供されている端末装置にセットされた電子装置とに予約登録する予約登録手段と、前記予約登録手段によって予約登録された予約情報の利用時に、前記電子装置に記憶された予約情報と、前記上位装置に記憶された予約情報とを比較することにより予約情報の正当性を確認する確認手段とを有することを特徴とするサービス情報提供システムである。
【０１３１】
（１４）上記（１３）に記載のサービス情報提供システムの前記予約登録手段は、予約登録時に前記セットされた電子装置に対する認証処理を実行する認証手段と、この認証手段による認証の結果、正当な電子装置であると認証されると、予約情報の登録を実行するよう制御する制御手段とを有することを特徴とするサービス情報提供システムである。
【０１３２】
（１５）上記（１３）に記載のサービス情報提供システムは、前記電子装置に記憶された予約情報に応じて利用に伴う決済処理を実行する決済手段を有することを特徴とするサービス情報提供システムである。
【０１３３】
（１６）各種サービス情報を記憶する記憶手段と、この記憶されたサービス情報を有線あるいは無線で接続された端末装置に対して提供するサービス情報提供装置は、サービス情報の提供を受けたい端末装置に関連する第１の識別情報が入力されると、入力された第１の識別情報及び利用者が所持する前記端末装置に着脱自在な電子装置の第２の識別情報とを前記記憶手段に格納する格納手段と、この格納手段により格納された前記第１の識別情報が示す端末装置に前記第２の識別情報が示す電子装置がセットされているかを判定する判定手段と、この判定手段により電子装置が端末装置にセットされていると判定されると前記格納された第１の識別情報が示す端末装置に対して前記記憶手段に記憶されたサービス情報を提供する提供手段とを有することを特徴とするサービス情報提供装置である。
【図面の簡単な説明】
【０１３４】
【図１】本発明の実施の形態に係るサービス情報提供システムの構成を概略的に示す構成図。
【図２】全体的な処理の流れを説明するためのフローチャート。
【図３】オンライン処理による条件登録に用いる機器を示す図。
【図４】オンライン処理による条件登録を説明するためのフローチャート。
【図５】ＩＣカード内の記憶情報例を示す図。
【図６】情報提供サーバ内の記憶情報例を示す図。
【図７】オフライン処理による条件登録に用いる機器を示す図。
【図８】オフライン処理による条件登録を説明するためのフローチャート。
【図９】受信場所の登録に用いる機器を示す図。
【図１０】受信場所の登録を説明するためのフローチャート。
【図１１】情報の提供に用いる機器を示す図。
【図１２】情報の提供を説明するためのフローチャート。
【図１３】情報の活用に用いる機器を示す図。
【図１４】車載機における表示画面例を示す図。
【図１５】予約処理を説明するためのフローチャート。
【図１６】最適ルート情報の提供に用いる機器を示す図。
【図１７】予約確認・決済に用いる機器を示す図。
【図１８】予約確認を説明するためのフローチャート。
【図１９】決済処理を説明するためのフローチャート。
【図２０】本発明に係るシステムを構成する各ユニットのブロックを示す図．
【図２１】オンライン処理による条件登録に続いて受信場所の登録を行う処理を説明するためのフローチャート。
【図２２】オンライン処理による条件登録及び受信場所の登録を同時に行う処理を説明するためのフローチャート。
【符号の説明】
【０１３５】
１……各種端末装置
２……有線電話機（端末装置）
３……パソコン（端末装置）
４……街頭端末装置（端末装置）
５……車載機（端末装置）
６……携帯電話機（端末装置）
７……通信ネットワーク
８……ＩＣカード（携帯可能電子装置）
９……衛星
１０……基地局
１１……店舗端末装置
１２……情報提供サーバ（上位装置であるサービス情報提供装置）
【図１】
2005070039.tif 000003
【図２】
2005070039.tif 000004
【図３】
2005070039.tif 000005
【図４】
2005070039.tif 000006
【図５】
2005070039.tif 000007
【図６】
2005070039.tif 000008
【図７】
2005070039.tif 000009
【図８】
2005070039.tif 000010
【図９】
2005070039.tif 000011
【図１０】
2005070039.tif 000012
【図１１】
2005070039.tif 000013
【図１２】
2005070039.tif 000014
【図１３】
2005070039.tif 000015
【図１４】
2005070039.tif 000016
【図１５】
2005070039.tif 000017
【図１６】
2005070039.tif 000018
【図１７】
2005070039.tif 000019
【図１８】
2005070039.tif 000020
【図１９】
2005070039.tif 000021
【図２０】
2005070039.tif 000022
【図２１】
2005070039.tif 000023
【図２２】
2005070039.tif 000024